(57)【要約】  【課題】  円形断面のブラシ毛が均一に分散して広がるようにするとともに、安価に製造できる化粧用塗布具を提供する。  【解決手段】  この化粧用塗布具であるマスカラブラシ１０は、無延伸又は伸び率２００％以下の低延伸加工の繊維からなるブラシ毛１４を有する。この繊維の材質は、ＰＡ６１２、ＰＡ６６、ＰＡ６、ＰＢＴ、ＰＰ、ＰＥＴ、ＰＶＣ等、たいてい合成繊維が使用可能である。この繊維の直径は、０．０５〜０．２５ｍｍほどである。  【選択図】    図１
2007006951.tif 000002
【特許請求の範囲】
【請求項１】
無延伸又は伸び率２００％以下の低延伸加工の繊維からなるブラシ毛を有する化粧用塗布具。
【請求項２】
前記繊維は、材質がＰＡ６１２、ＰＡ６６、ＰＡ６、ＰＢＴ、ＰＰ、ＰＥＴ又はＰＶＣで、直径が０．０５〜０．２５ｍｍである請求項１に記載の化粧用塗布具。
【発明の詳細な説明】
【技術分野】
【０００１】
本発明は、マスカラブラシ等の化粧用塗布具に関する。
【背景技術】
【０００２】
図２に示したように、従来のマスカラブラシ１０は、一対の芯線材１２を捻って構成された柄の先端部に、多数のブラシ毛１４が植設された塗布部１４ａを有している。このようなブラシ毛１４を芯線材１２の先端部に植設するためには、次のようにする（下記特許文献１参照）。図３に示したように、一対の芯線材１２間にブラシ毛１４の中央部を挟み、一対の芯線材１２を捻る。これで、ブラシ手１４は、芯線材１２が捻じられるにつれて、芯線材１２の先端部にしっかりと固定される。その後、塗布部１４ａを所望の形状に加工すれば、マスカラブラシ１０は完成する。
【０００３】
このブラシ毛１４には、主に中実円形断面の太さ２．５〜６デニールで、表面が平滑で、比較的柔らかいＰＡ（ポリアミド又はナイロン）６１２等の合成繊維（以下、単に繊維と記載する。）が用いられる。
【０００４】
この繊維を製造するには、まず専用の紡糸機械を使用し、樹脂素材をホッパーに投入後スクリュー付き熱シリンダーの中を通過させることで、熱可塑化する。可塑化された樹脂は、どろどろのゲル状となってシリンダーの先端に設けられた細孔（ダイ）から押出される。この段階で、押出された樹脂は糸状になり、これを次に冷却水槽を通過させる。それから、糸状の樹脂を加熱炉で再加熱しながら、ＰＡ６１２の場合は約２５０〜３５０％程度、ＰＰ（ポリプロピレン）の場合は約６００％の伸び率にまで引っ張りながら延伸させる延伸加工工程を経て、糸として完成させ、梱包用ロールに巻き付けて製品化している。
【０００５】
この延伸加工工程は、樹脂分子を一定方向に延ばすことにより、樹脂特有の強度及び剛性を与え、品質的に物性値を安定させるために必須な工程である。現在、ブラシ毛１４の材料となる繊維は、延伸加工工程を経た製品のみが用いられている。
【特許文献１】特公平６−９１８５１号公報
【発明の開示】
【発明が解決しようとする課題】
【０００６】
マスカラブラシ１０のブラシ毛１４には、前述したような延伸加工工程を経た繊維を使用しているが、この繊維は剛性が高いので、一対の芯線材１２間にブラシ毛１４を挟んで、一対の芯線材１２を捻ってマスカラブラシ１０を製造すると、図４に示したように、ブラシ毛１４が螺旋状の面に沿って集中してしまうという傾向があった。ブラシ毛１４が螺旋状の面に沿って集中してしまうと、化粧料の保持性及び塗布性が悪くなるという問題があった。このような訳で、ブラシ毛１４は、先端がなるべく均一に分散して広がるものが望まれている。
【０００７】
このために、従来は、図５に示したような十字形断面の繊維をブラシ毛１４の材料として使用していた。この他にも、中空断面又は星形断面等、円形断面以外の異形断面の繊維がブラシ毛１４の材料として使用していた。このような異形断面の繊維からなるブラシ毛１４は、剛性が低くなっているため、一対の芯線材１２間に挟んで芯線材１２を捻ると、根元部が横断面方向に圧縮され、これにつれて先端部が均一に分散して広がっていく性質がある。こうして、先端部が均一に分散して広がったブラシ毛１４のマスカラブラシ１０を得ることにより、従来は化粧料の保持性及び塗布性を改善していた。
【０００８】
この他、ＰＡ６１２とＰＡ６とをブレンドしたアロイ化樹脂からなる繊維に対して、表面に凹みを付加して根元部が横断面方向に圧縮され易くした繊維をブラシ毛１４の材料にすることも行われていた。
【０００９】
しかし、異形断面の繊維や、アロイ化樹脂の繊維表面に凹みを付加した繊維は、製造が難しく高価となってしまうという問題があった。
【００１０】
そこで、本発明は、前記問題に鑑みてなされたもので、円形断面のブラシ毛が均一に分散して広がるようにするとともに、安価に製造できる化粧用塗布具を提供することを課題とする。
【課題を解決するための手段】
【００１１】
上記の課題を解決するため、請求項１に係る発明の化粧用塗布具は、無延伸又は伸び率２００％以下の低延伸加工の繊維からなるブラシ毛を有する。
【００１２】
請求項２に係る発明の化粧用塗布具は、請求項１に係る発明の化粧用塗布具において、前記繊維の材質をＰＡ６１２、ＰＡ６６、ＰＡ６、ＰＢＴ、ＰＰ、ＰＥＴ又はＰＶＣとし、その直径を０．０５〜０．２５ｍｍとする。
【発明の効果】
【００１３】
請求項１に係る発明によれば、化粧用塗布具のブラシ毛に無延伸又は伸び率２００％以下の低延伸加工の繊維を用いたので、ブラシ毛の剛性が低いため、その根元部が横断面方向に縮み、これにつれてブラシ毛が屈曲していき、ブラシ毛の先端が規則正しく均一に分散して広がる。これで、化粧料の保持性及び塗布性が良好な化粧用塗布具が得られる。しかも、ブラシ毛の材料の繊維は、円形断面で表面が平滑でよいから、製造が容易であるうえ、新たな加工工程が追加されることがないので、製造コストを上昇させることもない。
【００１４】
請求項２に係る発明によれば、前記繊維の材質をＰＡ６１２、ＰＡ６６、ＰＡ６、ＰＢＴ、ＰＰ、ＰＥＴ又はＰＶＣとし、その直径を０．０５〜０．２５ｍｍとしたので、ブラシ毛の先端が特に規則正しく均一に分散して広がる。これにより、いっそう化粧料の保持性及び塗布性が良好な化粧用塗布具が得られる。
【発明を実施するための最良の形態】
【００１５】
以下、図１に基づいて、本発明の化粧用塗布具であるマスカラブラシとして、望ましい実施例について詳細に説明する。
【００１６】
このマスカラブラシ１０では、ブラシ毛１４の材料として、合成繊維の製造に従来必須であった延伸加工工程を行わない繊維、すなわち、可塑化された樹脂を円形の細孔から押出し、冷却水槽を通過させた段階の繊維を使用する。この繊維は、ＰＡ６１２を材料とし、直径０．０５〜０．２５ｍｍ程度の中実円形断面で、その表面は平滑である。もちろん、ブラシ毛１４の断面を三角形や四角形にしてもよい。
【００１７】
このマスカラブラシ１０を製造するには、図３に示した従来のものと同じく、前述の繊維をブラシ毛１４として１２〜２０ｍｍの長さにカットし、これを一対の金属製の芯線材１２間に挟み、芯線材１２を捻って、ブラシ毛１４を芯線材１２に固定して、マスカラブラシ１０の原型を造る。この後、図１に示したように、マスカラブラシ１０の塗布部１４ａを所定の形状に加工して製品とする。
【００１８】
本実施例によれば、延伸加工工程を経ない繊維からなるブラシ毛１４は、一対の芯線材１２間に挟んで捻ると、剛性が低いため、根元部が横断面方向に縮み、これにつれてブラシ毛１４が屈曲していき、図１に示したように、ブラシ毛１４の先端が規則正しく均一に分散して広がる。これで、化粧料の保持性及び塗布性が良好なマスカラブラシ１０が得られる。しかも、ブラシ毛１４の材料の繊維は、円形断面で表面が平滑でよいから製造が容易であるうえ、従来の製造中に行われていた延伸加工工程を除いただけであるから、製造コストを上昇させることもない。
【００１９】
ところで、本発明は、前記実施例に限るものではなく、種々の変形が可能である。たとえば、ブラシ毛１４の材料としては、前記実施例のＰＡ（ポリアミド又はナイロン）６１２だけでなく、ＰＡ６６、ＰＡ６、ＰＢＴ（ポリブチレンテレフタレート）、ＰＥＴ（ポリエチレンテレフタレート）、ＰＰ（ポリプロピレン）、ＰＶＣ（ポリ塩化ビニル）等、ほとんどの合成繊維が使用可能である。実際に、ＰＡ６１２の他、ＰＡ６でもＰＡ６１２と同様にブラシ毛１４の先端が規則正しく均一に分散して広がることを実験により確認している。特に剛性の高いＰＢＴでも、ＰＡ６１２と同様にブラシ毛１４の先端が規則正しく均一に分散して広がることを実験により確認しているので、たいていの合成繊維が使用可能であると考えられる。
【００２０】
また、前記実施例では、ブラシ毛１４の材料には、無延伸の繊維を用いたが、従来のものよりも延伸加工を小さくした伸び率が２００％以下の低延伸の繊維を用いることも可能である。実際に、伸び率１５％、３０％、１００％のＰＡ６１２でも充分にブラシ毛１４の先端が規則正しく均一に分散して広がることを実験により確認している。そして、伸び率２００％のＰＡ６１２でも、ブラシ毛１４の先端が、使用可能な程度に均一に分散して広がることを実験により確認している。すなわち、ブラシ毛の材料としては、芯線材１２に挟んで捻ったときに、根元部が横断面方向に縮み易くなるようにしたものであればよい。
【００２１】
さらに、前記実施例では、ブラシ毛１４を芯線材１２間に固定するのに、ブラシ毛１４を芯線材１２間に挟んで、芯線材１２を捻じったが、芯金間にブラシ毛１４を強く挟持して、ブラシ毛１４の根元部を横断面方向に縮ませることとができるようにしたものでもよい。
【００２２】
その他、前記実施例では本発明をマスカラブラシに適用したが、本発明は、マスカラシ以外にも、ブラシを使用する化粧料塗布具に広く適用できるものである。
【図面の簡単な説明】
【００２３】
【図１】本発明の一実施例に係るマスカラブラシの塗布部を示す図である。
【図２】従来のマスカラブラシの全体を示す図である。
【図３】従来及び本発明に係るマスカラブラシのブラシ毛の植設方法を説明する図である。
【図４】従来のマスカラブラシの塗布部を示す図である。
【図５】従来のマスカラブラシの改良されたブラシ毛繊維の断面形状を示す図である。
【符号の説明】
【００２４】
１０    マスカラブラシ
１２    芯線材
１４    ブラシ毛
１４ａ  塗布部
【図１】
2007006951.tif 000003
【図２】
2007006951.tif 000004
【図３】
2007006951.tif 000005
【図４】
2007006951.tif 000006
【図５】
2007006951.tif 000007